(57)【特許請求の範囲】
【請求項１】
インターフェースに、現在、アプリに登録したユーザーのユーザーアイコンである第１のアイコンと少なくとも一つの、第１のアイコンを中心として第１のアイコンの周囲を囲む通路である表示トラックとを表示することと、
前記ユーザーが前記アプリに登録した後に起動された少なくとも一つのアプリ機能を取得することであって、前記少なくとも一つのアプリ機能は前記アプリによって提供されることと、
いずれかのアプリ機能の機能アイコンを取得することと、
前記いずれかのアプリ機能の機能アイコンを対応する表示トラックに表示することと、を含み、
前記いずれかのアプリ機能の機能アイコンを対応する表示トラック上に表示した後、
前記表示トラックの色を前記表示トラック上に表示されたアプリ機能の機能アイコンと同じ色に調整することをさらに含むか、
または、
前記表示トラックのトラックパラメーターと前記対応する表示トラック上に表示される機能アイコンのアイコンパラメーターはいずれもリアルタイムに変更し、ここで、前記トラックパラメーターはトラック線色、トラック線太さ、トラックの運動状態、トラック回転方向、任意の二つのトラック間の距離の中の１種類又は複種類のパラメーターを含み、前記アイコンパラメーターは、アイコン色、アイコンサイズ、アイコン形状、アイコン移動方向の中の１種類又は複種類のパラメーターを含む
ことを特徴とするアイコン表示方法。
【請求項２】
少なくとも一つのアプリ機能を取得した後、
いずれかの前記アプリ機能の使用頻度を取得することをさらに含み、
複数のアプリ機能が起動された場合、前記いずれかのアプリ機能の機能アイコンを対応する表示トラック上に表示することが、
各アプリ機能の使用頻度に順番つけを行うことと、
前記使用頻度の順番つけ結果に基づいて、前記各アプリ機能の機能アイコンを対応する表示トラック上に表示することと、を含み、
使用頻度が最も高いアプリ機能の機能アイコンを前記第１のアイコンに最も接近する表示トラック上に表示する請求項１に記載の方法。
【請求項３】
少なくとも一つのアプリ機能を取得した後、
いずれかの前記アプリ機能の最終使用時刻を取得することをさらに含み、
複数のアプリ機能が起動された場合、前記いずれかのアプリ機能の機能アイコンを対応する表示トラック上に表示することが、
各アプリ機能の最終使用時刻に先後順で順番つけを行うことと、
前記最終使用時刻の順番つけ結果に基づいて、前記各アプリ機能の機能アイコンをそれぞれ対応する表示トラック上に表示することと、を含み、
最終使用時刻が現在のシステム時間に最も近いアプリ機能の機能アイコンを前記第１のアイコンに最も接近する表示トラック上に表示する請求項１に記載の方法。
【請求項４】
前記いずれかのアプリ機能の機能アイコンを対応する表示トラック上に表示した後、
前記第１のアイコンと各表示トラックとの間の距離に基づいて、前記いずれかのアプリ機能の機能アイコンの表示パラメーターを調整することをさらに含み、前記表示パラメーターは表示輝度、表示色度、表示サイズ、表示輪郭の中の一つ又は複数のパラメーターを含み、
前記第１のアイコンに最も接近する表示トラック上に表示されたアプリ機能の機能アイコンの表示パラメーターの値が最も大きい請求項１乃至３の中のいずれかに記載の方法。
【請求項５】
前記いずれかのアプリ機能の機能アイコンを対応する表示トラック上に表示した後、
前記いずれかのアプリ機能の機能アイコンをそれぞれ対応する表示トラック上で所定の方向で移動するように制御することをさらに含む請求項１乃至３の中のいずれかに記載の方法。
【請求項６】
前記いずれかのアプリ機能の機能アイコンを対応する表示トラック上に表示した後、
前記アプリ機能の機能アイコンをタッチした時に発生される信号である第１のタッチ信号を受信することと、
前記第１のタッチ信号に基づいて、前記インターフェースを前記アプリ機能に対応する機能ページに切り替えすることと、をさらに含む請求項１乃至３の中のいずれかに記載の方法。
【請求項７】
前記いずれかのアプリ機能の機能アイコンを対応する表示トラック上に表示した後、
前記インターフェースをターゲット対象と共有した信号である、前記ユーザーによってトリガされる第２のタッチ信号を受信することと、
前記インターフェースのキャプチャを取得することと、
前記第２のタッチ信号に基づいて、前記インターフェースのキャプチャを前記ターゲット対象に送信することと、をさらに含む請求項１乃至３の中のいずれかに記載の方法。
【請求項８】
インターフェースに、現在、アプリに登録したユーザーのユーザーアイコンである第１のアイコンと少なくとも一つの、第１のアイコンを中心として第１のアイコンの周囲を囲む通路である表示トラックとを表示するように構成された第１の表示手段と、
前記ユーザーが前記アプリに登録した後に起動された少なくとも一つのアプリ機能を取得するように構成され、前記少なくとも一つのアプリ機能は前記アプリによって提供される第１の取得手段と、
いずれかのアプリ機能の機能アイコンを取得するように構成された第２の取得手段と、
前記いずれかのアプリ機能の機能アイコンを対応する表示トラックに表示するように構成された第２の表示手段とを含み、
前記表示トラックの色を前記表示トラック上に表示されたアプリ機能の機能アイコンと同じ色に調整するように構成された第２の調整手段を更に含むように構成されるか、
または、
前記表示トラックのトラックパラメーターと前記対応する表示トラック上に表示される機能アイコンのアイコンパラメーターはいずれもリアルタイムに変更し、ここで、前記トラックパラメーターはトラック線色、トラック線太さ、トラックの運動状態、トラック回転方向、任意の二つのトラック間の距離の中の１種類又は複種類のパラメーターを含み、前記アイコンパラメーターは、アイコン色、アイコンサイズ、アイコン形状、アイコン移動方向の中の１種類又は複種類のパラメーターを含むように構成される
ことを特徴とするアイコン表示装置。
【請求項９】
いずれかの前記アプリ機能の使用頻度を取得するように構成された第３の取得手段を更に含み、
前記第２の表示手段が、
各アプリ機能の使用頻度に順番つけを行うように構成された第１の順番つけ手段と、
前記使用頻度の順番つけ結果に基づいて、前記各アプリ機能の機能アイコンを対応する表示トラック上に表示するように構成された第１の副表示手段と、を含み、
使用頻度が最も高いアプリ機能の機能アイコンを前記第１のアイコンに最も接近する表示トラック上に表示する請求項８に記載の装置。
【請求項１０】
いずれかの前記アプリ機能の最終使用時刻を取得するように構成された第４の取得手段を更に含み、
前記第２の表示手段が、
各アプリ機能の最終使用時刻に先後順で順番つけを行うように構成された第２の順番つけ手段と、
前記最終使用時刻の順番つけ結果に基づいて、前記各アプリ機能の機能アイコンをそれぞれ対応する表示トラック上に表示するように構成された第２の副表示手段と、を含み、
最終使用時刻が現在のシステム時間に最も近いアプリ機能の機能アイコンを前記第１のアイコンに最も接近する表示トラック上に表示する請求項８に記載の装置。
【請求項１１】
前記第１のアイコンと各表示トラックとの間の距離に基づいて、前記いずれかのアプリ機能の機能アイコンの表示パラメーターを調整するように構成された第１の調整手段を更に含み、前記表示パラメーターは表示輝度、表示色度、表示サイズ、表示輪郭の中のいずれか一つ又は複数を含み、
前記第１のアイコンに最も接近する表示トラック上に表示されたアプリ機能の機能アイコンの表示パラメーターの値が最も大きい請求項８乃至１０の中のいずれかに記載の装置。
【請求項１２】
前記いずれかのアプリ機能の機能アイコンをそれぞれ対応する表示トラック上で所定の方向で移動するように制御するように構成された制御手段を更に含む請求項８乃至１０の中のいずれかに記載の装置。
【請求項１３】
前記アプリ機能の機能アイコンをタッチした時に発生される信号である第１のタッチ信号を受信するように構成された第１の受信手段と、
前記第１のタッチ信号に基づいて、前記インターフェースを前記アプリ機能に対応する機能ページに切り替えするように構成された切り替え手段と、をさらに含む請求項８乃至１０の中のいずれかに記載の装置。
【請求項１４】
前記インターフェースをターゲット対象と共有した信号である、前記ユーザーによってトリガされる第２のタッチ信号を受信するように構成された第２の受信手段と、
前記インターフェースのキャプチャを取得するように構成された第５の取得手段と、
前記第２のタッチ信号に基づいて、前記インターフェースのキャプチャを前記ターゲット対象に送信するように構成された送信手段と、をさらに含む請求項８乃至１０の中のいずれかに記載の装置。
【請求項１５】
インターフェースに、現在、アプリに登録したユーザーのユーザーアイコンである第１のアイコンと少なくとも一つの、第１のアイコンを中心として第１のアイコンの周囲を囲む通路である表示トラックとを表示することと、
前記ユーザーが前記アプリに登録した後に起動された少なくとも一つのアプリ機能を取得することであって前記少なくとも一つのアプリ機能は前記アプリによって提供されることと、
いずれかのアプリ機能の機能アイコンを取得することと、
前記いずれかのアプリ機能の機能アイコンを対応する表示トラックに表示することと、を実行するためのプログラムコードを記憶し、
前記いずれかのアプリ機能の機能アイコンを対応する表示トラック上に表示した後、前記表示トラックの色を前記表示トラック上に表示されたアプリ機能の機能アイコンと同じ色に調整することを実行するためのプログラムコードを記憶するか、
または、
前記表示トラックのトラックパラメーターと前記対応する表示トラック上に表示される機能アイコンのアイコンパラメーターはいずれもリアルタイムに変更し、ここで、前記トラックパラメーターはトラック線色、トラック線太さ、トラックの運動状態、トラック回転方向、任意の二つのトラック間の距離の中の１種類又は複種類のパラメーターを含み、前記アイコンパラメーターは、アイコン色、アイコンサイズ、アイコン形状、アイコン移動方向の中の１種類又は複種類のパラメーターを含むようにする指示を記憶する
ように構成された記憶媒体。
【請求項１６】
少なくとも一つのアプリ機能を取得した後、いずれかの前記アプリ機能の使用頻度を取得することを実行するためのプログラムコードを記憶するように構成され、
複数のアプリ機能が起動された場合、前記いずれかのアプリ機能の機能アイコンを対応する表示トラック上に表示することが、
各アプリ機能の使用頻度に順番つけを行うことと、
前記使用頻度の順番つけ結果に基づいて、前記各アプリ機能の機能アイコンを対応する表示トラック上に表示することと、を含み、
使用頻度が最も高いアプリ機能の機能アイコンを前記第１のアイコンに最も接近する表示トラック上に表示する請求項１５に記載の記憶媒体。
【請求項１７】
少なくとも一つのアプリ機能を取得した後、いずれかの前記アプリ機能の最終使用時刻を取得することを実行するためのプログラムコードを記憶するように構成され、
複数のアプリ機能が起動された場合、前記いずれかのアプリ機能の機能アイコンを対応する表示トラック上に表示することが、
各アプリ機能の最終使用時刻を先後順で順番つけを行うことと、
前記最終使用時刻の順番つけ結果に基づいて、前記各アプリ機能の機能アイコンをそれぞれ対応する表示トラック上に表示することと、を含み、
最終使用時刻が現在のシステム時間に最も近いアプリ機能の機能アイコンを前記第１のアイコンに最も接近する表示トラック上に表示する請求項１５に記載の記憶媒体。
【請求項１８】
前記いずれかのアプリ機能の機能アイコンを対応する表示トラック上に表示した後、前記第１のアイコンと各表示トラックとの間の距離に基づいて、前記いずれかのアプリ機能の機能アイコンの表示パラメーターを調整することを実行するためのプログラムコードを記憶するように構成され、前記表示パラメーターは表示輝度、表示色度、表示サイズ、表示輪郭の中の一つ又は複数のパラメーターを含み、
前記第１のアイコンに最も接近する表示トラック上に表示されたアプリ機能の機能アイコンの表示パラメーターの値が最も大きい請求項１５乃至１７の中のいずれかに記載の記憶媒体。
【請求項１９】
前記いずれかのアプリ機能の機能アイコンを対応する表示トラック上に表示した後、前記いずれかのアプリ機能の機能アイコンをそれぞれ対応する表示トラック上で所定の方向で移動するように制御することを実行するためのプログラムコードを記憶するように構成された請求項１５乃至１７の中のいずれかに記載の記憶媒体。
【請求項２０】
前記いずれかのアプリ機能の機能アイコンを対応する表示トラック上に表示した後、前記アプリ機能の機能アイコンをタッチした時に発生する信号である第１のタッチ信号を受信することと、
前記第１のタッチ信号に基づいて、前記インターフェースを前記アプリ機能に対応する機能ページに切り替えすることを実行するためのプログラムコードを記憶するように構成された請求項１５乃至１７の中のいずれかに記載の記憶媒体。
【請求項２１】
前記いずれかのアプリ機能の機能アイコンを対応する表示トラック上に表示した後、前記インターフェースをターゲット対象と共有した信号である、前記ユーザーによってトリガされる第２のタッチ信号を受信することと、
前記インターフェースのキャプチャを取得することと、
前記第２のタッチ信号に基づいて、前記インターフェースのキャプチャを前記ターゲット対象に送信することを実行するためのプログラムコードを記憶するように構成された請求項１５乃至１７の中のいずれかに記載の記憶媒体。
【発明の詳細な説明】
【技術分野】
【０００１】
本願は、２０１５年１１月２０日に中国特許局に出願した優先権番号が２０１５１０８１１０９５０５で、発明名称が「アイコン表示方法及び装置」である中国特許出願の優先権を主張し、その全部の内容を引用する方式に本願に結合する。
【０００２】
本発明の実施例は、インターネット分野に関し、特に、アイコンを表示する方法及び装置に関する。
【背景技術】
【０００３】
スマート機器が汎用されるに伴って、アプリの種類や数量も絶えずに増加している。現在、市場上のアプリのユーザーインターフェイスは殆どが静態リスト形式で関連機能を展示し、例えば、ゲームコミュニティのゲームの入口の通常の展示方式は、リスト形式で該ゲームの関連機能アイコンや該ゲーム登録ユーザーのユーザーアイコンを逐一展示する。既存技術においてリスト方式で現在アプリに登録したユーザーのユーザーアイコン及びその関連機能アイコンを展示する方式には、以下の問題点がある：
１、アプリに登録したユーザーのユーザーアイコンと該アプリの関連機能アイコンをリスト形式で展示すると、該アプリの関連機能と登録したユーザーとの関連を現すことができない。例えば、該アプリにおける登録ユーザーが頻繁に使用する機能アイコンを直感的に表示することができなく、登録ユーザーが該機能を使用するたびにリストから探さなければならなく、ユーザーの使用体験を低減する。
２、静態リスト形式の界面を長期間使用すると、ユーザーが視覚的に疲労を感じることになる。ユーザーの視覚疲労を緩和するため、既存技術において、通常、イラストを変更したり又は界面に動態効果を表示したりしているが、これらの動態効果もただ簡単な動的特別効果で、生動性に欠けていて、且つ具体的な意味がないので、界面でのアイコンの展示効果が悪い。
【０００４】
既存技術においてリスト方式で現在アプリに登録したユーザーのユーザーアイコン及びその関連機能アイコンを展示して展示効果が悪い技術問題について、未だに有効な解決案を提示していない。
【発明の概要】
【発明が解決しようとする課題】
【０００５】
本発明の実施例は、少なくとも既存技術においてリスト方式で現在アプリに登録したユーザーのユーザーアイコン及びその関連機能アイコンを展示して展示効果が悪い技術問題を解決できるアイコン表示方法及び装置を提供する。
【課題を解決するための手段】
【０００６】
本発明の実施例の一態様によると、界面に現在アプリに登録したユーザーのユーザーアイコンである第１のアイコンと少なくとも一つの、第１のアイコンを中心として第１のアイコンの周囲を囲む通路である表示トラックとを表示することと、ユーザーがアプリに登録した後に起動された少なくとも一つのアプリ機能を取得することと、前記少なくとも一つのアプリ機能のうちのいずれかのアプリ機能の機能アイコンを取得することと、いずれかのアプリ機能の機能アイコンを対応する表示トラックに表示することと、を含むアイコン表示方法を提供する。
【０００７】
本発明の実施例の他の一態様によると、界面に現在アプリに登録したユーザーのユーザーアイコンである第１のアイコンと少なくとも一つの、第１のアイコンを中心として第１のアイコンの周囲を囲む通路である表示トラックとを表示するように構成された第１の表示手段と、ユーザーがアプリに登録した後に起動された少なくとも一つのアプリ機能を取得するように構成された第１の取得手段と、前記少なくとも一つのアプリ機能のうちのいずれかのアプリ機能の機能アイコンを取得するように構成された第２の取得手段と、いずれかのアプリ機能の機能アイコンを対応する表示トラックに表示するように構成された第２の表示手段と、を含むアイコン表示装置を提供する。
【発明の効果】
【０００８】
本発明の実施例において、界面に第１のアイコンと少なくとも一つの表示トラックを表示し、ここで、第１のアイコンは現在アプリに登録したユーザーのユーザーアイコンであって、表示トラックは第１のアイコンを中心として第１のアイコンの周囲を囲む通路であって、ユーザーがアプリに登録した後に起動された少なくとも一つのアプリ機能を取得し、前記少なくとも一つのアプリ機能のうちのいずれかのアプリ機能の機能アイコンを取得し、いずれかのアプリ機能の機能アイコンを対応する表示トラックに表示する方式を用いることで、界面にユーザーアイコンと表示トラックを表示し、ユーザーがアプリに登録した後に起動されたアプリ機能の機能アイコンを対応する表示トラックにて表示することで、アプリに登録したユーザーのユーザーアイコン及びその関連機能アイコンを図形化の表現方式で直観的で生動的に展示する目的を実現し、アプリに登録したユーザーのユーザーアイコンとその関連機能アイコンとの関係を直観的に展示し、界面展示効果を強化し、ユーザーの使用体験を向上させる技術効果を実現でき、既存技術においてリスト方式で現在アプリに登録したユーザーのユーザーアイコン及びその関連機能アイコンを展示して展示効果が悪い技術問題を解決できる。
【図面の簡単な説明】
【０００９】
ここで説明する図面は本発明を一層理解させるためのもので、本願の一部を構成し、本発明に示す実施例及びその説明は本発明を解釈するもので、本発明を限定するものではない。
【図１】本発明の実施例に係わるアイコン表示方法のコンピューター端末のハードウェア構造を示すブロック図である。
【図２】本発明の実施例に係わるアイコン表示方法を示すフローチャートである。
【図３】本発明の実施例に係わる選択可能な表示トラックを示す図である。
【図４】本発明の実施例に係わる選択可能な機能アイコンを対応する表示トラックに表示したものを示す図である。
【図５】本発明の実施例に係わる他の選択可能な機能アイコンを対応する表示トラックに表示したものを示す図である。
【図６】本発明の実施例に係わる他の選択可能な機能アイコンを対応する表示トラックに表示したものを示す図である。
【図７】本発明の実施例に係わるアイコン表示装置を示す図である。
【図８】本発明の実施例に係わる選択可能なアイコン表示装置を示す図である。
【図９】本発明の実施例に係わる他の選択可能なアイコン表示装置を示す図である。
【図１０】本発明の実施例に係わる他の選択可能なアイコン表示装置を示す図である。
【図１１】本発明の実施例に係わる他の選択可能なアイコン表示装置を示す図である。
【図１２】本発明の実施例に係わる他の選択可能なアイコン表示装置を示す図である。
【図１３】本発明の実施例に係わる他の選択可能なアイコン表示装置を示す図である。
【図１４】本発明の実施例に係わる他の選択可能なアイコン表示装置を示す図である。
【図１５】本発明の実施例に係わるコンピューター端末の構造を示すブロック図である。
【発明を実施するための形態】
【００１０】
当業者が本発明の技術案を理解するように、以下、本発明の実施例中の図面を結合して、本発明の実施例の技術案を明確で完璧に説明するが、ここで説明する実施例が本発明の実施例の全部ではなく一部であることは言うまでもない。本発明の実施例に基づいて、当業者が創造性のある労働なしで得た全ての他の実施例は、本発明の保護範囲に含まれるものである。
【００１１】
尚、本発明の明細書と特許請求の範囲及び図面における「第１」、「第２」等の用語は、特定の順序又は先後順を限定するものではなく、類似する対象を区別するためのものである。このような数値は状況に応じて互いに交換されることができ、これにより、ここで説明する本発明の実施例は図面に示す順又は説明した順とは異なる順で実施することもできる。そして、「含む」、「有する」とこれらの変形用語は、非排他的に含むことを表すもので、例えば、一連のステップ又はユニットを含むプロセス、方法、システム、製品又は機器は、明確に挙げたステップ又はユニットに限定されることはなく、明確に挙げていない他のステップ又はユニット又はこれらのプロセス、方法、製品又は機器固有の他のステップ又はユニットを含むこともできる。
【００１２】
まず、本発明の実施例を説明する使用される一部の名詞又は用語を説明する：
第１のアイコン：現在アプリに登録したユーザーのユーザーアイコンを指す。
表示トラック：第１のアイコンを中心として、第１のアイコンの周囲を囲む通路を指す。
アプリ機能：アプリが有している機能を指す。
機能アイコン：アプリ中のアプリ機能を表すアイコンを指す。
【００１３】
実施例１
本発明の実施例によると、アイコン表示方法の方法実施例を提供し、尚、図面中のフローチャートに示すステップを、例えば１セットのコンピューターが命令を実行可能なコンピューターシステムで実行することができ、また、フローターとに論理順を示しているが、場合によっては、図面に示すステップ又は説明したステップをそれと異なる順で実行することもできる。
【００１４】
本願の実施例で提供する方法実施例を、移動端末、コンピューター端末又は類似する演算装置で実行することができる。コンピューター端末で運行される場合を例とし、図１は本発明の実施例に係わるアイコン表示方法のコンピューター端末のハードウェア構造を示すブロック図である。図１に示すように、コンピューター端末１０は、一つ又は複数の（図に一つのみを示す）プロセッサ１０２（プロセッサ１０２は、マイクロプロセッサＭＣＵ又はプログラマブルロジックデバイスＦＰＧＡ等の処理装置を含むが、これらに限定されることはない）と、データを記憶するためのメモリ１０４と、通信機能用の伝送装置１０６と、を含む。当業者は、図１に示す構造は例示なもので、上記電子装置の構造を限定するものではないことが分かる。例えば、コンピューター端末１０は、図１に示す素子より更に多い又は更に少ない素子を含むこともでき、又は図１と異なる配置を有することもできる。
【００１５】
メモリ１０４は、アプリケーションソフトウェアのソフトウェアプログラム及び手段を記憶し、例えば本発明の実施例中のアイコン表示方法の対応するプログラム命令／手段を記憶し、プロセッサ１０２はメモリ１０４に記憶されたソフトウェアプログラム及び手段を実行することで、各種の機能アプリ及びデータ処理を実行し、つまり上述したアイコン表示方法を実現する。メモリ１０４は、高速ランダムメモリを含み、一つ又は複数の磁気記憶装置、フラッシュメモリ又は他の不揮発性固体メモリ等の不揮発性メモリを更に含むことができる。一部の実例において、メモリ１０４はさらに、プロセッサ１０２に対して遠隔に設置されたメモリを含むことができ、これらの遠隔メモリは、ネットワークを介してコンピューター端末１０に接続されることができる。上記ネットワークの実例として、インターネット、イントラネット、ローカルネットワーク、移動通信ネットワーク及びその組み合せを含むが、これらに限定されることはない。
【００１６】
伝送装置１０６は、ネットワークを介してデータを受信又は送信する。上述したネットワークの具体的な実例として、コンピューター端末１０の通信事業者により提供する無線ネットワークを含むことができる。一実例において、伝送装置１０６は、ネットワークアダプタ（Ｎｅｔｗｏｒｋ  Ｉｎｔｅｒｆａｃｅ  Ｃｏｎｔｒｏｌｌｅｒ、ＮＩＣ）を含み、基地局を介して他のネットワーク機器に接続されてインターネットと通信を行うことができる。一実例において、伝送装置１０６は、無線周波数（Ｒａｄｉｏ  Ｆｒｅｑｕｅｎｃｙ、ＲＦ）手段で、無線方式でインターネットと通信を行うことができる。
【００１７】
上記運行環境で、本願は図２に示すアイコン表示方法を提供する。該方法をスマート端末機器に応用することができ、スマート端末機器中のプロセッサによって実行し、スマート端末機器はスマートフォン、タブレットPC等であることができる。スマート端末機器に少なくとも一つのアプリがインストールされていて、本発明の実施例はアプリの種類を限定しなく、システム類アプリであることができれば、ソフトウェア類アプリであることもできる。本発明の実施例中のアプリは、少なくとも一つのアプリ機能を有する。例えば、アプリは、ＱＱゲームであって、ここで、ＱＱゲームは、斗地主（ｃｈｉｎｅｓｅ  ｐｏｋｅｒ）、パターンリンク等の複数のゲームアプリ機能を含む。
【００１８】
図２は本発明の実施例に係わるアイコン表示方法を示すフローチャートである。図２に示すように、該アイコン表示方法の一可能な方案はステップＳ１２〜Ｓ１８を含む。
【００１９】
ステップＳ１２において、界面に第１のアイコンと少なくとも一つの表示トラックを表示し、ここで、第１のアイコンは現在アプリに登録したユーザーのユーザーアイコンであって、表示トラックは第１のアイコンを中心として、第１のアイコンの周囲を囲む通路である。
【００２０】
本願の上記ステップＳ１２で提供する方案において、ユーザーがいずれかのアプリに登録した後、スマート端末機器は該アプリに対応する界面を表示し、該界面に第１のアイコンと少なくとも一つの表示トラックを表示することができる。ここで、第１のアイコンは現在該アプリに登録したユーザーのユーザーアイコンであることができ、第１のアイコンは該アプリに登録したユーザーを唯一に示す。第１のアイコンはユーザーアバター又はユーザー署名等の情報を示す画像であることができる。第１のアイコンの界面中の位置は、界面が美しいであるように、スマート端末機器の表示画面のサイズに応じて適切に調整することができる。
【００２１】
界面に少なくとも一つの表示トラックが表示され、ここで、表示トラックは第１のアイコンを中心として、第１のアイコンの周囲を囲む通路である。界面中の表示トラックの形状は同心円状であることができ、同心環状又は他の第１のアイコンを中心として第１のアイコンを囲む形状であることもできる。本発明の実施例において表示トラックの形状を具体的に限定しなく、表示トラックの形状は実際の需要に応じて設定することができる。複数の表示トラック中の任意の二つのトラック間の距離は同一であることができれば、異なることもできるが、界面での表示が美しいであるように、本発明の実施例における界面中の任意の二つの表示トラック間の距離は同一である。各表示トラックの表示色は同一であることができれば、異なることもできるが、界面中の異なる表示トラックを直観的且つ明確に区別するため、各表示トラックの色はいずれも異なっていて、即ち、一つの表示トラックが唯一に一つの色に対応する。又は、各表示トラックの幅が異なっている。
【００２２】
界面に含まれる各表示トラックの形状が同心円状である場合を例とし、図３は本発明の実施例に係わる選択可能な表示トラックを示す図で、図３に示すように、スマート端末機器の表示画面に第１のアイコンと少なくとも一つの表示トラックが表示されていて、また例えば「ユーザー情報」、「私の二回元コード」、「設定」、「戻り」等の他の機能オプションも表示される。第１のアイコンはアプリに登録したユーザーアバターで、表示トラックはユーザー画像を中心として、ユーザーアバターを囲む円であって、複数の円はいずれも第１のアイコンを中心とし、界面が美しいであるように、複数の円中の任意の二つの円間の距離は同一である。また、界面に表示された第１のアイコンと表示トラックを平面表示効果に設計することができ、立体表示効果に設計することもでき、即ち、複数の表示トラックをユーザーアバターを中心とした立体環状トラックに設計することもできる。
【００２３】
また、本発明の実施例の界面において、第１のアイコンと少なくとも一つの表示トラックを動態表示効果に設計することができ、例えば、第１のアイコンを一つの位置で小範囲で跳ねるように、又は所定の時間で点灯するように設計することができる。表示トラックに当該表示トラックに沿って第１のアイコンを囲むように移動可能な明るい点を設けることができる。
【００２４】
本発明の実施例において、さまざまな方式で界面に第１のアイコンと少なくとも一つの表示トラックを表示することができり、上記表示方式は本発明の好適な実施例で、本発明の実施例のアイコン表示方法が上記表示方式のみを含むことを示すものではない。界面の表示効果と美しさを向上させるため、本発明の実施例は界面表示効果を向上させることのできる他の方式も含むこともでき、ここでは逐一説明しない。
【００２５】
ステップＳ１４において、ユーザーがアプリに登録した後に起動された少なくとも一つのアプリ機能を取得する。
【００２６】
本願の上記ステップＳ１４で提供した方案において、ユーザーがアプリに登録した後、該アプリに含まれた少なくとも一つのアプリ機能を活性化又は運行させることができ、運行中の各アプリ機能は対応する一つの機能アイコンを生成し、該機能アイコンは対応するアプリ機能を唯一に表す。機能アイコンの形状や内容は、対応するアプリ機能に基づいて設計することができ、例えばＱＱゲームコミュニティ中のＱＱ空飛ぶ車のアイコンは「空飛ぶ車」の文字を含む画像である。
【００２７】
スマート端末機器に初めてアプリがインストールされる場合、アプリに含まれた少なくとも一つのアプリ機能中の一部のアプリ機能は活性化状態で、他の一部のアプリ機能は未活性化状態であって、ここで、活性化状態のアプリ機能に対応する機能アイコンが該アプリに対応する界面に表示され、未活性化状態のアプリ機能のアイコンは該アプリに対応する界面に表示されなく、該アプリに登録したユーザーが自分の必要に応じて活性化してインストールしなければならない。
【００２８】
また、該実施例中のアプリはアプリ機能の追加又は削除を支援することができ、該アプリに登録したユーザーは該アプリに予めて含まれていた活性化状態のアプリ機能を削除することができれば、該アプリに含んでいない新しいアプリ機能を追加することもできる。該実施例において、アプリがアプリ機能の追加又は削除できる機能を有することで、ユーザー需要を満たし、ユーザーの使用体験を向上させる。
【００２９】
ユーザーがアプリに登録した後、活性化状態のアプリ機能が対応して起動され、未活性化状態のアプリ機能は起動されない。スマート端末機器のプロセッサは、該アプリ中の少なくとも一つのアプリ機能が活性化状態であるか否かを検出することで、ユーザーがアプリに登録した後に起動された少なくとも一つのアプリ機能を取得する。
【００３０】
ステップＳ１６において、少なくとも一つのアプリ機能のうちのいずれかのアプリ機能の機能アイコンを取得する。
【００３１】
本発明の実施例中のアプリに予めてアプリ機能と機能アイコンとの対応関係が記憶されていて、プロセッサは、ステップＳ１４によってユーザーがアプリに登録した後に起動された少なくとも一つのアプリ機能を取得した後、アプリ機能と機能アイコンとの対応関係に応じて起動されたアプリ機能の機能アイコンを取得する。
【００３２】
例えば、ユーザーがＱＱゲームに登録した後、起動されるアプリ機能は斗地主、パターンリンク及びＱＱ空飛ぶ車を含み、ここで、ＱＱゲームに対応するアプリに予めて斗地主の機能アイコン、パターンリンクの機能アイコン、ＱＱ空飛ぶ車の機能アイコンが記憶されている。ＱＱゲームがインストールされたスマート端末機器のプロセッサは、起動されたアプリ機能である斗地主、パターンリンク及びＱＱ空飛ぶ車を取得した後、上記対応関係に応じて、斗地主の機能アイコン、パターンリンクの機能アイコン、ＱＱ空飛ぶ車の機能アイコンをそれぞれ取得する。
【００３３】
本発明の実施例は、予めてアプリのアプリ機能と機能アイコンとの対応関係を記憶することで、スマート端末機器のプロセッサが起動されたアプリ機能の機能アイコンを高速に探し出すことができ、演算効率を向上させる。
【００３４】
ステップＳ１８において、いずれかのアプリ機能の機能アイコンを対応する表示トラックに表示する。
【００３５】
本発明の実施例における表示トラックは、機能アイコンを配置して表示するためのトラックであって、つまり、ステップＳ１６によって取得した機能アイコンを界面中の表示トラックに配置して表示する。本願の上記ステップＳ１８で提供した方案において、表示トラックの数量は機能アイコンの数量と同じであることができ、即ち、各表示トラック上に一つの機能アイコンが表示される。ユーザーがアプリに登録した後に一つのアプリ機能が起動されると、第１のアイコンの周囲は一つの表示トラックのみによって囲まれていて、該アプリ機能の機能アイコンが該表示トラック上に表示される。ユーザーがアプリに登録した後に起動されるアプリ機能が複数である場合、第１のアイコンの周囲を囲む表示トラックは複数で、各表示トラック上に一つの機能アイコンが表示される。
【００３６】
本発明で提供する一実施例において、界面に複数の機能アイコンが表示される場合、機能アイコンと表示トラックとの対応関係は、アプリに登録したユーザーによる機能アイコンに対応するアプリ機能の使用パラメーターに基づいて確定する。具体的に、ユーザーによるアプリ機能の使用パラメーターは使用頻度、使用時間又は最近使用した時間等であることができる。
【００３７】
ユーザーによるアプリ機能の使用頻度を参照依拠として、機能アイコンを対応する表示トラック上に配置して表示する場合を例とし、ユーザーがＱＱゲームに登録した後、起動されるアプリ機能は斗地主、パターンリンク及びＱＱ空飛ぶ車を含む。ＱＱゲームに登録したユーザーによる斗地主の使用頻度は７回／週で、パターンリンクの使用頻度は５回／週で、ＱＱ空飛ぶ車の使用頻度は２回／週である。図４は本発明の実施例に係わる機能アイコンを対応する表示トラック上に表示したものを示す図で、図４に示すように、界面においてユーザーアバターを囲んで三つの表示トラックが表示されていて、ユーザーアバターから近い方からそれぞれ第１の表示トラック、第２の表示トラック、第３の表示トラックであって、ユーザーによるアプリ機能の使用頻度の高い方から、斗地主の機能アイコンを第１の表示トラックに配置し、パターンリンクの機能アイコンを第２の表示トラックに配置し、ＱＱ空飛ぶ車の機能アイコンを第３の表示トラックに配置する。図４から直観的に、ユーザーアバターに最も接近している機能アイコンに対応する斗地主がユーザーが比較的に好きなアプリ機能であることが分かる。
【００３８】
本発明の実施例において、ユーザーによるアプリ機能の使用パラメーターに基づいて機能アイコンを対応する表示トラック上に配置して表示することで、図形化の形式で直観的にユーザーと機能アイコンに対応するアプリ機能との間の関係を展示し、ユーザーが比較的に好きなアプリ機能の位置を高速に決めることができ、ユーザーの使用体験を大幅に向上させる。
【００３９】
上記ステップＳ１２乃至ステップＳ１８によって、本発明で提供する方案によると、界面にユーザーアイコンと表示トラックを表示し、ユーザーが該アプリ中の一つ又は複数のアプリ機能を活性化して運行した機能アイコンを対応する表示トラック上に表示することで、図形化の表現方式で直観的且つ生動的にアプリに登録したユーザーのユーザーアイコン及びその関連機能アイコンを展示するとともに、直観的にアプリに登録したユーザーのユーザーアイコンとその関連機能アイコンとの関係を展示して、界面の展示効果を強化し、ユーザーの使用体験を向上させる技術効果を実現でき、既存技術においてリスト方式で現在アプリに登録したユーザーのユーザーアイコン及びその関連機能アイコンを展示して展示効果が悪い技術問題を解決できる。
【００４０】
可能な一実施形態として、本願のステップＳ１４において少なくとも一つのアプリ機能を取得した後、本発明の実施例のアイコン表示方法は、いずれかのアプリ機能の使用頻度を取得するステップを更に含む。例えば、ユーザーがＱＱゲームに登録した後に起動されるアプリは、斗地主、パターンリンク及びＱＱ空飛ぶ車である。ＱＱゲームをインストールしたスマート端末機器中のプロセッサは、斗地主、パターンリンク及びＱＱ空飛ぶ車を取得した後、対応して、ユーザーによる斗地主、パターンリンク及びＱＱ空飛ぶ車の使用頻度を取得し、例えばユーザーによる斗地主の使用頻度は７回／週で、パターンリンクの使用頻度は５回／週で、ＱＱ空飛ぶ車の使用頻度は２回／週である。
【００４１】
該実施例のアイコン表示方法は、いずれかのアプリ機能の使用頻度を取得した後、アプリ機能の使用頻度に基づいて、各アプリ機能のアイコンを対応する表示トラック上に配置して表示することもできる。具体的に、ステップＳ１８において、複数のアプリ機能が起動された状況下、いずれかのアプリ機能の機能アイコンを対応する表示トラックに表示するステップはステップＳ１８０〜ステップＳ１８２を含むことができる。
【００４２】
ステップＳ１８０において、各アプリ機能の使用頻度の順番つけを行う。該実施例において、各アプリ機能の使用頻度を大きい順で順番つけすることができ、小さい順で順番つけを行うこともできる。使用頻度の順番つけ結果を、各アプリ機能の機能アイコンを表示トラック上に配置する位置を決める依拠とする。
【００４３】
ステップＳ１８２において、使用頻度の順番つけ結果に応じて、各アプリ機能の機能アイコンをそれぞれ対応する表示トラック上に表示し、ここで、使用頻度が最も高いアプリ機能の機能アイコンを第１のアイコンに最も接近する表示トラック上に表示する。例えば、図４に示すように、使用頻度が最も高い斗地主の機能アイコンをユーザーアバターに最も接近する第１の表示トラックに配置し、使用頻度がその次であるパターンリンクの機能アイコンを第２の表示トラックに配置し、使用頻度が最も低いＱＱ空飛ぶ車の機能アイコンを第３の表示トラックに配置する。
【００４４】
他の可能な一実施形態として、本願のステップＳ１４において少なくとも一つのアプリ機能を取得した後、本発明の実施例のアイコン表示方法は、いずれかのアプリ機能の最後使用時間を取得するステップを更に含む。例えば、ユーザーがＱＱゲームに登録した後に起動されたアプリは斗地主、パターンリンク及びＱＱ空飛ぶ車を含む。ＱＱゲームがインストールされたスマート端末機器中のプロセッサは斗地主、パターンリンク及びＱＱ空飛ぶ車を取得した後、対応して、ユーザーによる最後使用時間を取得し、例えばユーザーが最後に斗地主を使用した時間は２０１５年１０月２０日で、ユーザーが最後にパターンリンクを使用した時間は２０１５年１０月１０日で、ユーザーが最後にＱＱ空飛ぶ車を使用した時間は２０１５年１０月１日である。
【００４５】
該実施例のアイコン表示方法によると、いずれかのアプリ機能の最後使用時間を取得した後、それを依拠として、各アプリ機能のアイコンを対応する表示トラック上で表示する。具体的に、ステップＳ１８において複数のアプリ機能が起動された状況下、いずれかのアプリ機能の機能アイコンを対応する表示トラックに表示するステップはステップＳ１８１〜ステップＳ１８３を含むことができる。
【００４６】
ステップＳ１８１において、各アプリ機能の最後使用時間に先後順で順番つけを行う。
【００４７】
ステップＳ１８３において、最後使用時間の順番つけ結果に基づいて、各アプリ機能の機能アイコンをそれぞれ対応する表示トラック上に表示し、ここで、最後使用時間が現在のシステム時間に最も近いアプリ機能の機能アイコンを第１のアイコンに最も接近する表示トラック上に表示する。
【００４８】
例えば、図４に示す界面において、斗地主に対応する最後使用時間が現在時間（例えば、２０１５年１０月１５日）に最も近いと、斗地主の機能アイコンをユーザーアバターに最も接近する第１の表示トラックに配置し、パターンリンクに対応する最後使用時間が現在時間から遠く離れていると、パターンリンクの機能アイコンを第２の表示トラックに配置し、ＱＱ空飛ぶ車に対応する最後使用時間が現在時間から最も離れていると、ＱＱ空飛ぶ車の機能アイコンを第３の表示トラックに配置する。
【００４９】
該実施例のアイコン表示方法によると、アプリ機能の機能アイコンを対応する表示トラックに配置する依拠を設定することで、例えば、上記ユーザーによるアプリ機能の使用頻度又はユーザーがアプリ機能を最後に使用した時間を設定することで、使用頻度が高い又は使用時間が現在時間に最も近いアプリ機能の機能アイコンを第１のアイコンに最も接近する表示トラック上に表示して、図形化方式で明確で、直観的にアプリに登録したユーザーが好きなアプリ機能を体現し、同時に、ユーザーが好きなアプリ機能をユーザーアイコンに最も接近する表示トラック上に配置して、ユーザーが高速で該アプリ機能に正確な操作を行うことができる。尚、アプリ機能の機能アイコンを対応する表示トラックに表示する依拠として、使用頻度又は最後使用時間に限定されることはなく、予め設定された時間区間での使用回数や毎回の使用時間等であることもできる。
【００５０】
可能な一実施形態として、本願のステップＳ１８において、いずれかのアプリ機能の機能アイコンを対応する表示トラックに表示した後、該実施例のアイコン表示方法は、第１のアイコンと各表示トラックとの間の距離に基づいて、いずれかのアプリ機能の機能アイコンの表示パラメーターを調整するステップを更に含む。該実施例において、機能アイコンの表示パラメーターは、表示輝度、表示色度、表示サイズ、表示輪郭等の中のいずれか一つ又は複数のパラメーターを含むことができるが、これに限定されることはない。該実施例のアイコン表示方法において、第１のアイコンと各表示トラックとの間の距離に基づいて機能アイコンの表示パラメーターを調整する依拠が、第１のアイコンに最も接近する表示トラック上に表示されたアプリ機能の機能アイコンの表示パラメーターの値が最も大きいであることであることが好ましく、例えば、第１のアイコンに最も接近する表示トラック上で表示されたアプリ機能の機能アイコンが最も明るい、又は色が最も深い、又はサイズが最も大きい、又は輪郭が最も明確である等である。
【００５１】
例えば、図５は本発明の実施例に係わる他の選択可能な機能アイコンを対応する表示トラック上に表示したものを示す図で、図５に示すように、第１の表示トラックが第１のアイコン（ユーザーアバター）に最も近いと、第１の表示トラック上に表示される機能アイコンのサイズが最も大きく、第２の表示トラックが第１のアイコンから離れていると、第２の表示トラック上に表示される機能アイコンのサイズは小さく、第３の表示トラックが第１のアイコンから最も離れていると、第３の表示トラック上の機能アイコンのサイズが最も小さい。
【００５２】
該実施例において、機能アイコンの表示パラメーターを区別する方式を用いて、ユーザーが異なる表示トラック上の機能アイコンを一層明確に区別することができ、高速にユーザーが好きなアプリ機能の機能アイコンを正確に確定することができる。同時に、異なる表示トラック上に異なる表示パラメーターの機能アイコンを表示して、界面の表示効果を向上させる。
【００５３】
可能な一実施形態として、本願のステップＳ１８において、いずれかのアプリ機能の機能アイコンを対応する表示トラックに表示した後、該実施例のアイコン表示方法は、表示トラックの色を表示トラック上に表示されたアプリ機能の機能アイコンと同様の色に調整するステップを更に含む。界面中の異なる表示トラック及び異なる表示トラック上に表示された機能アイコンを明確に区別するため、該実施例において、界面中の異なる表示トラックの色を区別し、各表示トラックを１色に対応させることが好ましい。同時に、界面の消失効果の美しさを向上させるため、該実施例において、表示トラックの色をそれに表示される機能アイコンと同様な色に調整することが好ましい。
【００５４】
可能な一実施形態として、本願のステップＳ１８において、いずれかのアプリ機能の機能アイコンを対応する表示トラックに表示した後、該実施例のアイコン表示方法は、いずれかのアプリ機能の機能アイコンがそれぞれ対応する表示トラック上で所定の方向で移動するように制御するステップを更に含む。ここで、機能アイコンの表示トラック上の移動方向は時計回りであることができ、反時計回りであることもできる。複数の機能アイコンの対応する表示トラック上での移動速度は同じであることができが、異なることもできる。しかし、界面効果の美しさを維持するため、各表示トラック上の機能アイコンの移動速度を同一の移動速度に調整することが好ましい。
【００５５】
例えば、図６は本発明の実施例に係わる他の選択可能な機能アイコンを対応する表示トラック上に表示したものを示す図で、図６に示すように、三つの機能アイコンがいずれも第１のアイコンを囲んでそれぞれの表示トラック上で移動し、移動方向はいずれも時計回りであって、移動速度はいずれも速度vである。
【００５６】
該実施例のアイコン表示方法によると、機能アイコンを表示トラックに沿って第１のアイコン回りで所定の方向に移動するように制御することで、界面の動態表示効果を向上させ、ユーザーの使用体験を有効に向上させることができる。
【００５７】
可能な一実施形態として、本願のステップＳ１８において、いずれかのアプリ機能の機能アイコンを対応する表示トラックに表示した後、該実施例のアイコン表示方法はステップＳ２０２〜ステップＳ２０４を更に含む。
【００５８】
ステップＳ２０２において、第１のタッチ信号を受信し、ここで、第１のタッチ信号は、アプリ機能の機能アイコンをタッチした時に発生される信号である。例えば、図４に示す界面において、第１のタッチ信号は、ユーザーが斗地主の機能アイコンをクリック又はダブルクリックした場合、又は斗地主の機能アイコンを長押しした場合、又は斗地主の機能アイコンを長押して第１のアイコンの方向へドラッグした場合に生成される信号である。実は、第１のタッチ信号はユーザーが界面で自分に必要なアプリ機能を選択したことを表す。
【００５９】
ステップＳ２０４において、第１のタッチ信号に基づいて、界面をアプリ機能に対応する機能ページに切り替えする。例えば、プロセッサが、斗地主の機能アイコンをクリックして発生された第１のタッチ信号を受信した後、プロセッサは界面を斗地主の機能ページに切り替えして、ユーザーに次の関連操作を行わせる。
【００６０】
該実施例において、界面中の機能アイコンを操作する（例えば、クリック、ドラッグ等）ことで、対応するアプリ機能ページの切り替えを実現して、ユーザーが自分に必要なアプリ機能を簡単で高速に選択する目的を実現でき、ユーザーの使用体験を向上させる。
【００６１】
可能な一実施形態として、本願のステップＳ１８において、いずれかのアプリ機能の機能アイコンを対応する表示トラックに表示した後、該実施例のアイコン表示方法は、ステップＳ２１２〜ステップＳ２１６を更に含む。
【００６２】
ステップＳ２１２において、第２のタッチ信号を受信し、ここで、第２のタッチ信号は、界面をターゲット対象と共有した信号である。該実施例の界面に共有機能を有するタッチ領域が設定されて、ユーザーが当該領域をタッチすることで、界面をターゲット対象と共有することができ、ここで、ターゲット対象は連絡先中の友達であることができ、ウェイシンモーメンツ等であることもできる。
【００６３】
ステップＳ２１４において、界面のキャプチャを取得する。プロセッサが第２のタッチ信号を受信した後、プロセッサは該界面のキャプチャを取得し、ここで、本発明の実施例において界面キャプチャの取得方式を具体的に限定しなく、スクリーンショット又はスクリーンキャプチャ等の方式であることができる。
【００６４】
ステップＳ２１６において、第２のタッチ信号に基づいて、界面のキャプチャをターゲット対象に送信する。プロセッサが、界面のキャプチャをターゲット対象に送信するとともに、ユーザーに共有する界面キャプチャに補充説明する機能を提供することもでき、ユーザーは共有する界面キャプチャに補充説明することができ、他のユーザーが該アプリに関心を持つことになる。
【００６５】
該実施例によると、ユーザーにアプリを共有する機能を提供し、ユーザーと友達との間のインタラクティブ性を強化し、ユーザーの使用体験を向上させるとともに、該アプリのユーザーグループを増加させることができる。
【００６６】
可能な一実施形態として、本発明の実施例において、表示トラックのトラックパラメーターと対応する表示トラック上に表示される機能アイコンのアイコンパラメーターはいずれもリアルタイムに変更され、ここで、トラックパラメーターは、トラック線色、トラック線太さ、トラックの運動状態、トラック回転方向、任意の二つのトラック間の距離の中の１種類又は複種類のパラメーターを含むことができるが、これに限定されることはなく、また、アイコンパラメーターは、アイコン色、アイコンサイズ、アイコン形状、アイコン移動方向の中の１種類又は複種類のパラメーターを含むことができるが、これに限定されることはない。
【００６７】
該実施例において、トラックのトラックパラメーター及びその上の機能アイコンのアイコンパラメーターをユーザーによるアプリのアプリ機能の使用パラメーターに基づいてリアルタイムに調整し、ユーザーがアプリのアプリ機能に操作するたびに、プロセッサがユーザーによる該アプリのアプリ機能の使用パラメーターを更新し、その後、更新された後の使用パラメーターに基づいて、表示トラックのトラックパラメーター及びその上の機能アイコンのアイコンパラメーターを調整する。該実施例によると、表示トラックのトラックパラメーター及びその上の機能アイコンのアイコンパラメーターをリアルタイムに調整することで、界面からユーザーとアプリ機能との関連性を読み取る正確性を向上させるに有利であって、同時にユーザーが同一の界面を長時間使用して生じる視覚疲労を回避し、ユーザーの使用体験を大幅に向上させることができる。
【００６８】
尚、上述した各方法の実施例において、簡単に説明するため、いずれも一連の動作の組み合せで説明したが、本発明によると、一部のステップを他の順で実行するか又は同時に実行することもできるので、本発明がここで説明した動作の順序に制限されないことは当業者は理解できる。そして、明細書で説明した実施例はいずれも好適な実施例で、かかる動作や手段が本発明に不可欠なものではないことは当業者は理解できる。
【００６９】
上述した実施形態の説明に基づいて、当業者は上記実施例の方法をソフトウェアに必要な汎用なハードウェアプラットフォームを結合した方式で実現することができ、そしてハードウェアで実現することもできるが、前者の方が最も最適な実施形態であることが分かる。これに基づいて、本発明の技術案の本質又は既存技術に貢献のある部分を、ソフトウェア製品の形式で実現し、該コンピューターソフトウェア製品を記憶媒体（例えば、ＲＯＭ／ＲＡＭ、ディスク、ＣＤ）に記憶することができ、端末機器（携帯電話、コンピューター、サーバー、又はネットワーク機器等）に本発明の各実施例に記載の方法を実行させる幾つかの命令を含むことができる。
【００７０】
実施例２
本発明の実施例によると、上記アイコン表示方法を実施するためのアイコン表示装置を提供する。図７は本発明の実施例に係わるアイコン表示装置を示す図で、図７に示すように、該装置は、第１の表示手段２２と、第１の取得手段２４と、第２の取得手段２６と、第２の表示手段２８とを含む。
【００７１】
ここで、第１の表示手段２２は、界面に第１のアイコンと少なくとも一つの表示トラックを表示するように構成され、ここで、第１のアイコンは現在アプリに登録したユーザーのユーザーアイコンであって、表示トラックは第１のアイコンを中心として、第１のアイコンの周囲を囲む通路である。第１の取得手段２４は、ユーザーがアプリに登録した後に起動された少なくとも一つのアプリ機能を取得するように構成される。第２の取得手段２６は、少なくとも一つのアプリ機能のうちのいずれかのアプリ機能の機能アイコンを取得するように構成される。第２の表示手段２８は、いずれかのアプリ機能の機能アイコンを対応する表示トラックに表示するように構成される。
【００７２】
該実施例のアイコン表示装置において、第１の表示手段２２は本発明の実施例中のステップＳ１２を実行するように構成されることができ、第１の取得手段２４は本発明の実施例中のステップＳ１４を実行するように構成されることができ、第２の取得手段２６は本発明の実施例中のステップＳ１６を実行するように構成されることができ、第２の表示手段２８は本発明の実施例中のステップＳ１８を実行するように構成されることができる。
【００７３】
上記第１の表示手段２２、第１の取得手段２４、第２の取得手段２６及び第２の表示手段２８によって、界面にユーザーアイコンと表示トラックを表示し、ユーザーによるアプリ中のアプリ機能の使用パラメーターに基づいて機能アイコンを対応する表示トラック上で表示することで、図形化の表現方式で直観的で、生動にアプリに登録したユーザーのユーザーアイコン及びその関連機能アイコンを展示し、同時に直観的にアプリに登録したユーザーのユーザーアイコンとその関連機能アイコンとの関係を展示して、界面展示効果を強化し、ユーザーの使用体験を向上させる技術効果を実現でき、既存技術においてリスト方式で現在アプリに登録したユーザーのユーザーアイコン及びその関連機能アイコンを展示して展示効果が悪い技術問題を解決できる。
【００７４】
本願の上記第１の表示手段２２は、第１のアイコンと少なくとも一つの表示トラックを表示するように構成されることができる。ここで、第１のアイコンは現在該アプリに登録したユーザーのユーザーアイコンであることができり、第１のアイコンは該アプリに登録したユーザーを唯一に表す。第１のアイコンはユーザーアバター又はユーザー署名等の表示情報の画像を含むことができる。第１のアイコンの界面中の位置は、界面が美しくなるように、端末機器の表示画面のサイズに応じて対応する調整を行うことができる。
【００７５】
表示トラックは、第１のアイコンを中心として、第１のアイコンの周囲を囲む通路である。界面中の表示トラックの形状は同心円状であることができ、同心環状であることもでき、又は他の第１のアイコンを中心とし、第１のアイコンを囲む形状であることもできる。本発明の実施例において、表示トラックの形状を具体的に限定しなく、表示トラックの形状は実際の需要に応じて設定することができる。複数の表示トラックの中の任意の二つのトラック間の距離は同一であることができれば、異なることもできるが、界面での表示が美しいであるように、本発明の実施例における界面中の任意の二つの表示トラック間の距離は同一である。各表示トラックの表示色は同一であることができれば、異なることもできるが、界面中の異なる表示トラックを直観的且つ明確に区別するため、各表示トラックの色はいずれも異なっていて、即ち、一つの表示トラックが唯一に一つの色に対応する。又は、各表示トラックの幅が異なっている
【００７６】
上記第１の表示手段２２が界面に表示する第１のアイコンと少なくとも一つの表示トラックは平面表示効果であることができれば、立体表示効果であることもできる。上記第１の表示手段２２が、第１のアイコンと少なくとも一つの表示トラックを動的に表示することが好ましく、例えば、第１のアイコンが一つの位置で小範囲で跳ねる又は所定の時間で点灯することができる。表示トラックに当該表示トラックに沿って第１のアイコンを囲むように移動可能な明るい点を設けることができる
【００７７】
上記第１の表示手段２２はさまざまな方式で界面に第１のアイコンと少なくとも一つの表示トラックを表示することができり、上記表示方式は本発明の好適な実施例で、上記第１の表示手段２２が上記表示方式のみを含むことを示すものではない。界面の表示効果と美しさを向上させるため、本発明の実施例は界面表示効果を向上させることのできる他の方式も含むこともでき、ここでは逐一説明しない。
【００７８】
上記第１の取得手段２４において、ユーザーがアプリに登録した後、該アプリに含まれた少なくとも一つのアプリ機能を活性化又は運行させることができ、運行中の各アプリ機能は対応する一つの機能アイコンを生成し、該機能アイコンは対応するアプリ機能を唯一に表す。機能アイコンの形状や内容は、対応するアプリ機能に基づいて設計することができ、例えばＱＱゲームコミュニティ中のＱＱ空飛ぶ車のアイコンは「空飛ぶ車」の文字を含む画像である。
【００７９】
スマート端末機器に初めてアプリがインストールされる場合、アプリに含まれた少なくとも一つのアプリ機能中の一部のアプリ機能は活性化状態で、他の一部のアプリ機能は未活性化状態であって、ここで、活性化状態のアプリ機能に対応する機能アイコンが該アプリに対応する界面に表示され、未活性化状態のアプリ機能のアイコンは該アプリに対応する界面に表示されなく、該アプリに登録したユーザーが自分の必要に応じて活性化してインストールしなければならない。
【００８０】
上記第１の取得手段２４中のアプリはアプリ機能の追加又は削除を支援することができ、該アプリに登録したユーザーは該アプリに予めて含まれていた活性化状態のアプリ機能を削除することができれば、該アプリに含んでいない新しいアプリ機能を追加することもできる。該実施例において、アプリがアプリ機能の追加又は削除できる機能を有することで、ユーザー需要を満たし、ユーザーの使用体験を向上させる。
【００８１】
ユーザーがアプリに登録した後、活性化状態のアプリ機能が対応して起動され、未活性化状態のアプリ機能は起動されない。上記第１の取得手段２４は、該アプリ中の少なくとも一つのアプリ機能が活性化状態であるか否かを検出することで、ユーザーがアプリに登録した後に起動された少なくとも一つのアプリ機能を取得する。
【００８２】
本発明の実施例中のアプリに予めてアプリ機能と機能アイコンとの対応関係が記憶されていて、上記第１の取得手段２４によって、ユーザーがアプリに登録した後に起動された少なくとも一つのアプリ機能を取得した後、上記第２の取得手段２６がアプリ機能と機能アイコンとの対応関係に応じて起動されたアプリ機能の機能アイコンを取得することができる。
【００８３】
例えば、ユーザーがＱＱゲームに登録した後、起動されるアプリ機能は斗地主、パターンリンク及びＱＱ空飛ぶ車を含み、ここで、ＱＱゲームに対応するアプリに予めて斗地主の機能アイコン、パターンリンクの機能アイコン、ＱＱ空飛ぶ車の機能アイコンが記憶されている。上記第１の取得手段２４が起動されたアプリ機能である斗地主、パターンリンク及びＱＱ空飛ぶ車を取得した後、上記第２の取得手段２６は上記対応関係に応じて、斗地主の機能アイコン、パターンリンクの機能アイコン、ＱＱ空飛ぶ車の機能アイコンをそれぞれ取得する。
【００８４】
本発明の実施例は、予めてアプリのアプリ機能と機能アイコンとの対応関係を記憶することで、スマート端末機器のプロセッサが起動されたアプリ機能の機能アイコンを高速に探し出すことができ、演算効率を向上させる。
【００８５】
上記第２の表示手段２８中の表示トラックは、機能アイコンを配置して表示するためのトラックであって、つまり、上記第２の取得手段２６が取得した機能アイコンを界面中の表示トラックに配置して表示する。上記第２の表示手段２８において、選択可能な一実施形態として、表示トラックの数量は機能アイコンの数量と同じであることができ、即ち、各表示トラック上に一つの機能アイコンが表示される。ユーザーがアプリに登録した後に一つのアプリ機能が起動されると、第１のアイコンの周囲は一つの表示トラックのみによって囲まれていて、該アプリ機能の機能アイコンが該表示トラック上に表示される。ユーザーがアプリに登録した後に起動されるアプリ機能が複数である場合、第１のアイコンの周囲を囲む表示トラックは複数で、各表示トラック上に一つの機能アイコンが表示される。
【００８６】
本発明で提供する一実施例において、界面に複数の機能アイコンが表示される場合、機能アイコンと表示トラックとの対応関係は、アプリに登録したユーザーによる機能アイコンに対応するアプリ機能の使用パラメーターに基づいて確定する。具体的に、ユーザーによるアプリ機能の使用パラメーターは使用頻度、使用時間又は最近使用した時間等であることができる。
【００８７】
ユーザーによるアプリ機能の使用頻度を参照依拠として、機能アイコンを対応する表示トラック上に配置して表示する場合を例とし、ユーザーがＱＱゲームに登録した後、起動されるアプリ機能は斗地主、パターンリンク及びＱＱ空飛ぶ車を含む。ＱＱゲームに登録したユーザーによる斗地主の使用頻度は７回／週で、パターンリンクの使用頻度は５回／週で、ＱＱ空飛ぶ車の使用頻度は２回／週である。図４に示すように、界面においてユーザーアバターを囲んで三つの表示トラックが表示されていて、ユーザーアバターから近い方からそれぞれ第１の表示トラック、第２の表示トラック、第３の表示トラックであって、ユーザーによるアプリ機能の使用頻度の高い方から、斗地主の機能アイコンを第１の表示トラックに配置し、パターンリンクの機能アイコンを第２の表示トラックに配置し、ＱＱ空飛ぶ車の機能アイコンを第３の表示トラックに配置する。図４から直観的に、ユーザーアバターに最も接近している機能アイコンに対応する斗地主がユーザーが比較的に好きなアプリ機能であることが分かる。
【００８８】
本発明の実施例において、ユーザーによるアプリ機能の使用パラメーターに基づいて機能アイコンを対応する表示トラック上に配置して表示することで、図形化の形式で直観的にユーザーと機能アイコンに対応するアプリ機能との間の関係を展示し、ユーザーが比較的に好きなアプリ機能の位置を高速に決めることができ、ユーザーの使用体験を大幅に向上させる。
【００８９】
可能な一実施形態として、図８は本発明の実施例に係わる選択可能なアイコン表示装置を示す図で、図８に示すように、該アイコン表示装置は、いずれかのアプリ機能の使用頻度を取得するように構成された第３の取得手段２５２を更に含むことができる。例えば、ユーザーがＱＱゲームに登録した後に起動されるアプリは、斗地主、パターンリンク及びＱＱ空飛ぶ車である。第１の取得手段２４が斗地主、パターンリンク及びＱＱ空飛ぶ車を取得した後、第３の取得手段２５２が対応して、ユーザーによる斗地主、パターンリンク及びＱＱ空飛ぶ車の使用頻度を取得し、例えばユーザーによる斗地主の使用頻度は７回／週で、パターンリンクの使用頻度は５回／週で、ＱＱ空飛ぶ車の使用頻度は２回／週である。
【００９０】
図８に示すように、第２の表示手段２８は、各アプリ機能の使用頻度の順番つけを行うように構成された第１の順番つけ手段２８０と、使用頻度の順番つけ結果に基づいて各アプリ機能の機能アイコンを対応する表示トラック上に表示するように構成された第１の副表示手段２８２と、を含むことができ、ここで、使用頻度が最も高いアプリ機能の機能アイコンを第１のアイコンに最も接近する表示トラック上に表示する。
【００９１】
第１の順番つけ手段２８０は、各アプリ機能の使用頻度を大きい順で順番つけすることができ、小さい順で順番つけを行うこともできる。使用頻度の順番つけ結果を、各アプリ機能の機能アイコンを表示トラック上に配置する位置を決める依拠とする。例えば、図４に示すように、使用頻度が最も高い斗地主の機能アイコンをユーザーアバターに最も接近する第１の表示トラックに配置し、使用頻度がその次であるパターンリンクの機能アイコンを第２の表示トラックに配置し、使用頻度が最も低いＱＱ空飛ぶ車の機能アイコンを第３の表示トラックに配置する。
【００９２】
他の可能な一実施形態として、図９は本発明の実施例に係わる他の選択可能なアイコン表示装置を示す図で、図９に示すように、該アイコン表示装置は、いずれかのアプリ機能の最後の使用時間を取得するよに構成された第４の取得手段２５４を更に含むことができる、例えば、ユーザーがＱＱゲームに登録した後に起動されたアプリは斗地主、パターンリンク及びＱＱ空飛ぶ車を含む。上記第１の取得手段２４が斗地主、パターンリンク及びＱＱ空飛ぶ車を取得した後、第４の取得手段は対応して、ユーザーによる最後使用時間を取得し、例えばユーザーが最後に斗地主を使用した時間は２０１５年１０月２０日で、ユーザーが最後にパターンリンクを使用した時間は２０１５年１０月１０日で、ユーザーが最後にＱＱ空飛ぶ車を使用した時間は２０１５年１０月１日である。
【００９３】
第２の表示手段２８は、各アプリ機能の最後使用時間を先後順で順番つけを行うように構成された第２の順番つけ手段２８１と、最後使用時間の順番つけ結果に基づいて各アプリ機能の機能アイコンを対応する表示トラック上に表示するように構成された第２の副表示手段２８３と、を含むことができ、ここで、最後使用時間が現在のシステム時間に最も接近するアプリ機能の機能アイコンを第１のアイコンに最も接近する表示トラック上に表示する。
【００９４】
例えば、図４に示す界面において、斗地主に対応する最後使用時間が現在時間（例えば、２０１５年１０月１５日）に最も近いと、斗地主の機能アイコンをユーザーアバターに最も接近する第１の表示トラックに配置し、パターンリンクに対応する最後使用時間が現在時間から遠く離れていると、パターンリンクの機能アイコンを第２の表示トラックに配置し、ＱＱ空飛ぶ車に対応する最後使用時間が現在時間から最も離れていると、ＱＱ空飛ぶ車の機能アイコンを第３の表示トラックに配置する。
【００９５】
該実施例のアイコン表示装置によると、第３の取得手段２５２又は第４の取得手段２５４によって、アプリ機能の機能アイコンを対応する表示トラックに配置する依拠を取得することで、例えば、上記ユーザーによるアプリ機能の使用頻度又はユーザーがアプリ機能を最後に使用した時間を取得することで、使用頻度が高い又は使用時間が現在時間に最も近いアプリ機能の機能アイコンを第１のアイコンに最も接近する表示トラック上に表示して、図形化方式で明確で、直観的にアプリに登録したユーザーが好きなアプリ機能を体現し、同時に、ユーザーが好きなアプリ機能をユーザーアイコンに最も接近する表示トラック上に配置して、ユーザーが高速で該アプリ機能に正確な操作を行うことができる。尚、アプリ機能の機能アイコンを対応する表示トラックに表示する依拠として、使用頻度又は最後使用時間に限定されることはなく、予め設定された時間区間での使用回数や毎回の使用時間等であることもできる。
【００９６】
可能な一実施形態として、図１０は本発明の実施例に係わる他の選択可能なアイコン表示装置を示す図で、図１０に示すように、該アイコン表示装置は、第１のアイコンと各表示トラックとの間の距離に基づいて、いずれかのアプリ機能の機能アイコンの表示パラメーターを調整するように構成された第１の調整手段３０１を更に含むことができ、表示パラメーターは、表示輝度、表示色度、表示サイズ、表示輪郭等の中のいずれか一つ又は複数のパラメーターを含むことができ、ここで、第１のアイコンに最も接近する表示トラック上に表示されるアプリ機能の機能アイコンの表示パラメーターの値が最も大きい。
【００９７】
第１の調整手段３０１が第１のアイコンと各表示トラックとの間の距離に基づいて機能アイコンの表示パラメーターを調整する依拠が、第１のアイコンに最も接近する表示トラック上に表示されたアプリ機能の機能アイコンの表示パラメーターの値が最も大きいであることであることが好ましく、例えば、第１のアイコンに最も接近する表示トラック上で表示されたアプリ機能の機能アイコンが最も明るい、又は色が最も深い、又はサイズが最も大きい、又は輪郭が最も明確である等である。
【００９８】
例えば、図５に示すように、第１の表示トラックが第１のアイコン（ユーザーアバター）に最も近いと、第１の表示トラック上に表示される機能アイコンのサイズが最も大きく、第２の表示トラックが第１のアイコンから離れていると、第２の表示トラック上に表示される機能アイコンのサイズは小さく、第３の表示トラックが第１のアイコンから最も離れていると、第３の表示トラック上の機能アイコンのサイズが最も小さい。
【００９９】
該実施例において、機能アイコンの表示パラメーターを区別する方式を用いて、ユーザーが異なる表示トラック上の機能アイコンを一層明確に区別することができ、高速にユーザーが好きなアプリ機能の機能アイコンを正確に確定することができる。同時に、異なる表示トラック上に異なる表示パラメーターの機能アイコンを表示して、界面の表示効果を向上させる。
【０１００】
可能な一実施形態として、図１１は本発明の実施例に係わる他の選択可能なアイコン表示装置を示す図で、図１１に示すように、該アイコン表示装置は、表示トラックの色を、表示トラック上に表示されるアプリ機能の機能アイコンと同じ色に調整するように構成された第２の調整手段３１１をさらに含むことができる。界面中の異なる表示トラック及び異なる表示トラック上に表示された機能アイコンを明確に区別するため、該実施例の第２の調整手段３１１が、界面中の異なる表示トラックの色を区別し、各表示トラックを１色に対応させることが好ましい。同時に、界面の消失効果の美しさを向上させるため、該実施例の第２の調整手段３１１が、表示トラックの色をそれに表示される機能アイコンと同様な色に調整することが好ましい。
【０１０１】
可能な一実施形態として、図１２は本発明の実施例に係わる他の選択可能なアイコン表示装置を示す図で、図１２に示すように、該アイコン表示装置は、いずれかのアプリ機能の機能アイコンがそれぞれ対応する表示トラック上で所定の方向で移動するように制御する制御手段３２１をさらに含むことができる。ここで、機能アイコンの表示トラック上の移動方向は時計回りであることができ、反時計回りであることもできる。複数の機能アイコンの対応する表示トラック上での移動速度は同じであることができが、異なることもできる。しかし、界面効果の美しさを維持するため、各表示トラック上の機能アイコンの移動速度を同一の移動速度に調整することが好ましい。
【０１０２】
例えば、図６に示すように、三つの機能アイコンがいずれも第１のアイコンを囲んでそれぞれの表示トラック上で移動し、移動方向はいずれも時計回りであって、移動速度はいずれも速度vである。
【０１０３】
該実施例の制御手段は機能アイコンを表示トラックに沿って第１のアイコン回りで所定の方向に移動するように制御することで、界面の動態表示効果を向上させ、ユーザーの使用体験を有効に向上させることができる。
【０１０４】
可能な一実施形態として、図１３は本発明の実施例に係わる他の選択可能なアイコン表示装置を示す図で、図１３に示すように、該アイコン表示装置は、表示トラック上に表示したアプリ機能の機能アイコンをタッチする際に発生される信号である第１のタッチ信号を受信するように構成された第１の受信手段３３１と、第１のタッチ信号に基づいて、界面をアプリ機能に対応する機能ページに切り替えするように構成された切り替え手段３３３と、をさらに含むことができる。
【０１０５】
例えば、図４に示す界面において、第１のタッチ信号は、ユーザーが斗地主の機能アイコンをクリック又はダブルクリックした場合、又は斗地主の機能アイコンを長押しした場合、又は斗地主の機能アイコンを長押して第１のアイコンの方向へドラッグした場合に生成される信号である。実は、第１のタッチ信号はユーザーが界面で自分に必要なアプリ機能を選択したことを表す。該実施例において、界面中の機能アイコンを操作する（例えば、クリック、ドラッグ等）ことで、対応するアプリ機能ページの切り替えを実現して、ユーザーが自分に必要なアプリ機能を簡単で高速に選択する目的を実現でき、ユーザーの使用体験を向上させる。
【０１０６】
可能な一実施形態として、図１４は本発明の実施例に係わる他の選択可能なアイコン表示装置を示す図で、図１４に示すように、該アイコン表示装置は、界面をターゲット対象と共有した信号である第２のタッチ信号を受信するように構成された第２の受信手段３４１と、界面のキャプチャを取得するように構成された第５の取得手段３４３と、第２のタッチ信号に基づいて、界面のキャプチャをターゲット対象に送信するように構成された送信手段３４５と、をさらに含むことができる。
【０１０７】
該実施例の界面に共有機能を有するタッチ領域が設定されて、ユーザーが当該領域をタッチすることで、界面をターゲット対象と共有することができ、ここで、ターゲット対象は連絡先中の友達であることができ、ウェイシンモーメンツ等であることもできる。該実施例において界面キャプチャの取得方式を具体的に限定しなく、スクリーンショット又はスクリーンキャプチャ等の方式であることができる。送信手段が、界面のキャプチャをターゲット対象に送信するとともに、ユーザーに共有する界面キャプチャに補充説明する機能を提供することもでき、ユーザーは共有する界面キャプチャに補充説明することができ、他のユーザーが該アプリに関心を持つことになる。
【０１０８】
該実施例によると、ユーザーにアプリを共有する機能を提供し、ユーザーと友達との間のインタラクティブ性を強化し、ユーザーの使用体験を向上させるとともに、該アプリのユーザーグループを増加させることができる。
【０１０９】
可能な一実施形態として、本発明の実施例において、表示トラックのトラックパラメーターと対応する表示トラック上に表示される機能アイコンのアイコンパラメーターはいずれもリアルタイムに変更され、ここで、トラックパラメーターは、トラック線色、トラック線太さ、トラックの運動状態、トラック回転方向、任意の二つのトラック間の距離の中の１種類又は複種類のパラメーターを含むことができ、また、アイコンパラメーターは、アイコン色、アイコンサイズ、アイコン形状、アイコン移動方向の中の１種類又は複種類のパラメーターを含むことができる。
【０１１０】
該実施例において、トラックのトラックパラメーター及びその上の機能アイコンのアイコンパラメーターをユーザーによるアプリのアプリ機能の使用パラメーターに基づいてリアルタイムに調整し、ユーザーがアプリのアプリ機能に操作するたびに、プロセッサがユーザーによる該アプリのアプリ機能の使用パラメーターを更新し、その後、更新された後の使用パラメーターに基づいて、表示トラックのトラックパラメーター及びその上の機能アイコンのアイコンパラメーターを調整する。該実施例によると、表示トラックのトラックパラメーター及びその上の機能アイコンのアイコンパラメーターをリアルタイムに調整することで、界面からユーザーとアプリ機能との関連性を読み取る正確性を向上させるに有利であって、同時にユーザーが同一の界面を長時間使用して生じる視覚疲労を回避し、ユーザーの使用体験を大幅に向上させることができる。
【０１１１】
実施例３
本発明の実施例においてさらに記憶媒体を提供する。本実施例において、上記記憶媒体は、上記実施例のアイコン表示方法を実行するためのプログラムコードを記憶することができる。
【０１１２】
本実施例において、上記記憶媒体は、コンピューターネットワークの複数のネットワーク機器中の少なくとも一つのネットワーク機器に位置することができる。
【０１１３】
本実施例において、記憶媒体は、ステップＳ１〜Ｓ４を実行するためのプログラムコードを記憶するように構成されることができる。
【０１１４】
Ｓ１において、界面に第１のアイコンと少なくとも一つの表示トラックを表示し、ここで、第１のアイコンは現在アプリに登録したユーザーのユーザーアイコンであって、表示トラックは第１のアイコンを中心として、第１のアイコンの周囲を囲む通路である。
【０１１５】
Ｓ２において、ユーザーがアプリに登録した後に起動された少なくとも一つのアプリ機能を取得する。
【０１１６】
Ｓ３において、少なくとも一つのアプリ機能のうちのいずれかのアプリ機能の機能アイコンを取得する。
【０１１７】
Ｓ４において、いずれかのアプリ機能の機能アイコンを対応する表示トラックに表示する。
【０１１８】
記憶媒体はさらに以下のステップを実行するためのプログラムコードを記憶するように構成されることができる：いずれかのアプリ機能の使用頻度を取得し、各アプリ機能の使用頻度の順番つけを行い、使用頻度の順番つけ結果に基づいて、各アプリ機能の機能アイコンをそれぞれ対応する表示トラック上に表示し、ここで、使用頻度が最も高いアプリ機能の機能アイコンを第１のアイコンに最も接近する表示トラック上に表示する。
【０１１９】
記憶媒体はさらに以下のステップを実行するためのプログラムコードを記憶するように構成されることができる：いずれかのアプリ機能の最後使用時間を取得し、各アプリ機能の最後使用時間を先後順に応じて順番つけし、最後使用時間の順番つけ結果に基づいて、各アプリ機能の機能アイコンを対応する表示トラック上に表示し、ここで、最後使用時間が現在のシステム時間に最も近いアプリ機能の機能アイコンを第１のアイコンに最も接近する表示トラック上に表示する。
【０１２０】
記憶媒体はさらに以下のステップを実行するためのプログラムコードを記憶するように構成されることができる：第１のアイコンと各表示トラックとの間の距離に基づいて、いずれかのアプリ機能の機能アイコンの表示パラメーターを調整し、表示パラメーターは、表示輝度、表示色度、表示サイズ、表示輪郭の中のいずれか一つ又は複数のパラメーターを含むことができ、第１のアイコンに最も接近する表示トラック上に表示されるアプリ機能の機能アイコンの表示パラメーターの値が最も大きい。
【０１２１】
記憶媒体はさらに以下のステップを実行するためのプログラムコードを記憶するように構成されることができる：表示トラックの色を、表示トラック上に表示されるアプリ機能の機能アイコンと同じ色に調整する。
【０１２２】
記憶媒体はさらに以下のステップを実行するためのプログラムコードを記憶するように構成されることができる：いずれかのアプリ機能の機能アイコンがそれぞれ対応する表示トラック上で所定の方向で移動するように制御する。
【０１２３】
記憶媒体はさらに以下のステップを実行するためのプログラムコードを記憶するように構成されることができる：第１のタッチ信号を受信し、ここで、第１のタッチ信号は表示トラック上に表示したアプリ機能の機能アイコンをタッチした時に発生される信号であって、また、第１のタッチ信号に基づいて、界面をアプリ機能対応する機能ページに切り替えする。
【０１２４】
記憶媒体はさらに以下のステップを実行するためのプログラムコードを記憶するように構成されることができる：第２のタッチ信号を受信し、ここで、第２のタッチ信号は界面をターゲット対象と共有した信号であって、また、界面のキャプチャを取得し、第２のタッチ信号に基づいて、界面のキャプチャをターゲット対象に送信する。
【０１２５】
本実施例において、上記記憶媒体は、ＵＳＢ、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、モバイルハードディスク、ディスク又はＣＤ等の各種のプログラムコードを記憶可能な媒体を含むが、これに限定されることない。
【０１２６】
実施例４
本発明の実施例においてさらにコンピューター端末を提供し、該コンピューター端末は、コンピューター端末群中のいずれかのコンピューター端末機器であることができる。本実施例において、上記コンピューター端末を移動端末等の端末機器に入れ替えすることもできる。
【０１２７】
本実施例において、上記コンピューター端末は、コンピューターネットワークの複数のネットワーク機器中の少なくとも一つのネットワーク機器に位置することができる。
【０１２８】
図１５は本発明の実施例に係わるコンピューター端末の構造を示すブロック図である。図１５に示すように、該コンピューター端末Aは、一つ又は複数の（図１５に一つのみを示す）プロセッサ９１と、メモリ９３と、伝送装置９５とを含むことができる。
【０１２９】
ここで、メモリ９３は、ソフトウェアプログラムと手段を記憶することができ、例えば本発明の実施例中のアイコン表示方法や装置に対応するプログラム命令／手段を記憶することができ、プロセッサ９１は、メモリ９３に記憶されたソフトウェアプログラム及び手段を運行することで、各種の機能の応用及びデータ処理を実行し、即ち、上述したアイコン表示方法を実現する。メモリ９３は高速ランダムメモリを含むことができ、例えば一つ又は複数の磁気記憶装置、フラッシュメモリ等の不揮発性メモリ又は他の不揮発性固体メモリを含むこともできる。一部の実例において、メモリ９３はさらに、プロセッサ９１に対して遠隔に設置されたメモリを含むことができ、これらの遠隔メモリは、ネットワークを介してコンピューター端末Aに接続されることができる。上記ネットワークの実例として、インターネット、イントラネット、ローカルネットワーク、移動通信ネットワーク及びその組み合せを含むが、これらに限定されることはない。
【０１３０】
上述した伝送装置９５は、ネットワークを介してデータを受信又は送信する。上述したネットワークの具体的な実例として、有線ネットワーク及び無線ネットワークを含むことができる。一実例において、伝送装置９５は、ネットワークアダプタ（Ｎｅｔｗｏｒｋ  Ｉｎｔｅｒｆａｃｅ  Ｃｏｎｔｒｏｌｌｅｒ、ＮＩＣ）を含み、ネットワークケーブルを介して他のネットワーク機器やルーターに接続されてインターネット又はローカルネットワークと通信を行うことができる。一実例において、伝送装置９５は無線周波数（Ｒａｄｉｏ  Ｆｒｅｑｕｅｎｃｙ、ＲＦ）手段で、無線方式でインターネットと通信を行うことができる。
【０１３１】
ここで、具体的に、メモリ９３は、予め設定された動作条件と予め設定された許可ユーザーの情報及びアプリを記憶する。
【０１３２】
プロセッサ９１は、伝送装置を介して、メモリ９３に記憶された情報及びアプリを呼び出して、以下のステップＳ１〜Ｓ４を実行することができる。
【０１３３】
そして、上記プロセッサ９１は以下のステップＳ１〜Ｓ４のプログラムコードを実行することもできる。
【０１３４】
Ｓ１において、界面に第１のアイコンと少なくとも一つの表示トラックを表示し、ここで、第１のアイコンは現在アプリに登録したユーザーのユーザーアイコンであって、表示トラックは第１のアイコンを中心として、第１のアイコンの周囲を囲む通路である。
【０１３５】
Ｓ２において、ユーザーがアプリに登録した後に起動された少なくとも一つのアプリ機能を取得する。
【０１３６】
Ｓ３において、少なくとも一つのアプリ機能のうちのいずれかのアプリ機能の機能アイコンを取得する。
【０１３７】
Ｓ４において、いずれかのアプリ機能の機能アイコンを対応する表示トラックに表示する。
【０１３８】
本実施例において、記憶媒体はさらに以下のステップＳ１を実行するためのプログラムコードを記憶するように構成されることができる。
【０１３９】
Ｓ１において、少なくとも一つのアプリ機能を取得した後、いずれかのアプリ機能の使用頻度を取得し、ここで、複数のアプリ機能が起動された場合、いずれかのアプリ機能の機能アイコンを対応する表示トラックに表示するステップはステップＳ２〜Ｓ３を含む。
【０１４０】
Ｓ２において、各アプリ機能の使用頻度の順番つけを行う。
【０１４１】
Ｓ３において、使用頻度の順番つけ結果に基づいて、各アプリ機能の機能アイコンをそれぞれ対応する表示トラック上に表示し、ここで、使用頻度が最も高いアプリ機能の機能アイコンを第１のアイコンに最も接近する表示トラック上に表示する。
【０１４２】
本実施例において、記憶媒体はさらに以下のステップＳ１を実行するためのプログラムコードを記憶するように構成される。
【０１４３】
Ｓ１において、少なくとも一つのアプリ機能を取得した後、いずれかのアプリ機能の最後使用時間を取得し、ここで、複数のアプリ機能が起動された場合、いずれかのアプリ機能の機能アイコンを対応する表示トラックに表示するステップはステップＳ２〜Ｓ３を含む。
【０１４４】
Ｓ２において、各アプリ機能の最後使用時間を先後順に応じて順番つけを行う。
【０１４５】
Ｓ３において、最後使用時間の順番つけ結果に基づいて、各アプリ機能の機能アイコンをそれぞれ対応する表示トラック上に表示し、ここで、最後使用時間が現在のシステム時間に最も近いアプリ機能の機能アイコンを第１のアイコンに最も接近する表示トラック上に表示する
【０１４６】
本実施例において、記憶媒体はさらに以下のステップＳ１を実行するためのプログラムコードを記憶するように構成される。
【０１４７】
Ｓ１において、いずれかのアプリ機能の機能アイコンを対応する表示トラックに表示した後、第１のアイコンと各表示トラックとの間の距離に基づいて、いずれかのアプリ機能の機能アイコンの表示パラメーターを調整し、表示パラメーターは表示輝度、表示色度、表示サイズ、表示輪郭の中のいずれか一つ又は複数のパラメーターを含むことができ、
【０１４８】
ここで、第１のアイコンに最も接近する表示トラック上に表示されたアプリ機能の機能アイコンの表示パラメーターの値が最も大きい。
【０１４９】
本実施例において、記憶媒体はさらに以下のステップＳ１を実行するためのプログラムコードを記憶するように構成される。
【０１５０】
Ｓ１において、いずれかのアプリ機能の機能アイコンを対応する表示トラックに表示した後、表示トラックの色を表示トラック上に表示されたアプリ機能の機能アイコンと同じ色に調整する。
【０１５１】
本実施例において、記憶媒体はさらに以下のステップＳ１を実行するためのプログラムコードを記憶するように構成される。
【０１５２】
Ｓ１において、いずれかのアプリ機能の機能アイコンを対応する表示トラックに表示した後、いずれかのアプリ機能の機能アイコンがそれぞれ対応する表示トラック上で所定の方向で移動するように制御する。
【０１５３】
本実施例において、記憶媒体はさらに以下のステップＳ１〜Ｓ２を実行するためのプログラムコードを記憶するように構成される。
【０１５４】
Ｓ１において、いずれかのアプリ機能の機能アイコンを対応する表示トラックに表示した後、第１のタッチ信号を受信し、ここで、第１のタッチ信号は表示トラック上に表示したアプリ機能の機能アイコンをタッチした時に発生される信号であって、
Ｓ２において、第１のタッチ信号に基づいて、界面をアプリ機能に対応する機能ページに切り替えする。
【０１５５】
本実施例において、記憶媒体はさらに以下のステップＳ１〜Ｓ３を実行するためのプログラムコードを記憶するように構成される。
【０１５６】
Ｓ１において、いずれかのアプリ機能の機能アイコンを対応する表示トラックに表示した後、第２のタッチ信号を受信し、ここで、第２のタッチ信号は界面をターゲット対象と共有した信号である。
【０１５７】
Ｓ２において、界面のキャプチャを取得する。
【０１５８】
Ｓ３において、第２のタッチ信号に基づいて、界面のキャプチャをターゲット対象に送信する。
【０１５９】
本実施例中の具体的な実例は、上記実施例１と実施例２で説明した実例を参照することができ、本実施例において説明を省略する。
【０１６０】
上記本発明の実施例の番号は説明の便宜を図るためのものであって、実施例の優劣を示すものではない。
【０１６１】
上記実施例中の集積されたユニットをソフトウェア機能ユニットの形態で実現して単独の製品として販売したり使用したりする場合、上記コンピューター読み取り可能な記憶媒体に記憶することができる。従って、本発明の技術案の実質又は既存技術に貢献のある部分又は該技術案の全部又は一部をソフトウェア製品の形態で実現することができ、該コンピューターソフトウェア製品は、一つ又は複数のコンピューター機器（パーソナルコンピュータ、サーバー又はネットワーク機器等）に本発明の各実施例で説明した方法の全部又は一部のステップを実行させることのできる幾つかの命令を含み、記憶媒体に記憶されることができる。
【０１６２】
本発明の上記実施例において、各実施例の説明においてそれぞれ重点とするものがあって、ある実施例において詳しく説明していない部分については、他の実施例の関連説明を参照することができる。
【０１６３】
本願で提供した幾つかの実施例において、クライアントを他の形態で実現することができることは言うまでもない。ここで、以上説明した装置実施例は例示的なものであって、例えば上述したユニットの区画は、論理機能の区画であって、実際に実現する際には、他の方式で区画することもでき、例えば複数のユニット又は素子を結合したり、又は他のシステムに集積したり、又は一部の特徴を無視したり、又は実行しないこともできる。そして、図示又は検討した相互結合又は直接結合又は通線接続は、一部のインターフェース、ユニット又は手段を介した間接的な結合又は通信接続であることができ、電気的又は他の形態であることもできる。
【０１６４】
分離部品として説明したユニットは、物理的に分離したものであることができれば、物理的に分離していないものであることもでき、ユニットとして示した部品は、物理ユニットであることができれば、物理ユニットではないこともでき、即ち、一つの箇所に位置することができれば、又は複数のネットワークユニットに分布されることもできる。実際の需要に応じて、その中の一部又は全部のユニットを選択して本実施例の技術案の目的を実現することができる。
【０１６５】
そして、本発明の各実施例中の各機能ユニットを一つの処理ユニットに集積させることができ、各ユニットを独立した物理ユニットとすることもでき、二つ又は二つ以上のユニットを一つのユニットに集積させることもできる。上記集積されたユニットは、ハードウェアの形態で実現することができれば、ソフトウェア機能ユニットの形態で実現することもできる。
【０１６６】
以上は、本発明の好適な実施例に過ぎず、当業者であれば本発明の原理を離脱せずに、改善や修正を行うことができ、このような改善や修正は本発明の保護範囲に含まれる。
【産業上の利用可能性】
【０１６７】
本発明の実施例において、界面に第１のアイコンと少なくとも一つの表示トラックを表示し、ここで、第１のアイコンは現在アプリに登録したユーザーのユーザーアイコンで、表示トラックは第１のアイコンを中心として、第１のアイコンの周囲を囲む通路であって、ユーザーがアプリに登録した後に起動された少なくとも一つのアプリ機能を取得し、少なくとも一つのアプリ機能のうちのいずれかのアプリ機能の機能アイコンを取得し、いずれかのアプリ機能の機能アイコンを対応する表示トラックに表示する方式を用いて、界面にユーザーアイコンと表示トラックを表示し、ユーザーがアプリに登録した後に起動されたアプリ機能の機能アイコンを対応する表示トラック上に配置して表示することで、アプリに登録したユーザーのユーザーアイコン及びその関連機能アイコンを図形化の表現方式で直観的で生動的に展示する目的を実現し、アプリに登録したユーザーのユーザーアイコンとその関連機能アイコンとの関係を直観的に展示し、界面展示効果を強化し、ユーザーの使用体験を向上させる技術効果を実現でき、既存技術においてリスト方式で現在アプリに登録したユーザーのユーザーアイコン及びその関連機能アイコンを展示して展示効果が悪い技術問題を解決できる。
【符号の説明】
【０１６８】
１０  コンピューター端末
１０２  プロセッサ
１０４  メモリ
【図１】
0006515202.tif 000002
【図２】
0006515202.tif 000003
【図３】
0006515202.tif 000004
【図４】
0006515202.tif 000005
【図５】
0006515202.tif 000006
【図６】
0006515202.tif 000007
【図７】
0006515202.tif 000008
【図８】
0006515202.tif 000009
【図９】
0006515202.tif 000010
【図１０】
0006515202.tif 000011
【図１１】
0006515202.tif 000012
【図１２】
0006515202.tif 000013
【図１３】
0006515202.tif 000014
【図１４】
0006515202.tif 000015
【図１５】
0006515202.tif 000016